(57)【要約】【課題】親指による入力操作を容易且つ確実に行うことができる携帯機器を提供する。【解決手段】表面側に入力部を有する筐体５０と、筐体５０の裏面側に配置された装着具本体１６とを備え、装着具本体１６は、両端部が筐体５０の裏面に対して略垂直方向に引きつけられるように、筐体５０に取り付けられている携帯機器。【選択図】図１３
2009147992.tif 000002
【特許請求の範囲】
【請求項１】
表面側に入力部を有する筐体と、
前記筐体の裏面側に配置された装着具本体とを備え、
前記装着具本体は、両端部が前記筐体の裏面に対して略垂直方向に引きつけられるように、前記筐体に取り付けられている携帯機器。
【請求項２】
前記装着具本体は、帯状部材をループ状に形成してなり、長手方向両端部において一対の支持部材が挿通されており、
一対の前記支持部材は、前記筐体の裏面側に取り付けられている請求項１に記載の携帯機器。
【請求項３】
一対の前記支持部材は、可撓性部材から構成され、前記可撓性部材の両端が前記筐体に固定されている請求項２に記載の携帯機器。
【請求項４】
前記装着具本体は、湾曲部と平坦部とが互いに対向するように構成されており、前記湾曲部と平坦部との間に指を挿入可能とされている請求項２に記載の携帯機器。
【請求項５】
前記装着具本体は、長さ調整可能に構成されている請求項１から４のいずれかに記載の携帯機器。
【発明の詳細な説明】
【技術分野】
【０００１】
本発明は、携帯電話などの携帯機器を指などに装着するための携帯機器用装着具および携帯機器に関する。
【背景技術】
【０００２】
携帯電話など入力部を備えた筐体を有する携帯機器を片手で操作する場合、親指以外の指と手のひらを利用して筐体を握り、親指で入力操作をするのが一般的である。しかし、このような入力操作は、携帯機器を握った状態を維持しながら行う必要があるため親指を動かしにくく、入力作業が困難である。そこで、特許文献１には、親指による入力操作を容易にするための携帯端末用ベルトが開示されている。
【０００３】
図１６に示すように、この携帯端末用ベルト９０は、帯状の連接部９１の両端に支持部９２，９３を備えて構成されており、ゴムネットからなる一方の支持部９２が携帯端末９４の底部を支持し、ゴムリングからなる他方の支持部９３が携帯端末９４のアンテナ９５に引っ掛けられる。この状態で、ユーザが親指以外の１本以上の指を携帯端末９４の裏面と連接部９１との間に挿入することにより、挿入した指で携帯端末を支持することができる。
【先行技術文献】
【特許文献】
【０００４】
【特許文献１】特開２００６−１４０５７５号公報
【発明の概要】
【発明が解決しようとする課題】
【０００５】
上記特許文献１に開示された携帯端末用ベルト９０を用いると、連接部９１が携帯端末９４との間に挿入した指を挟持することにより、携帯端末９４を握り込むことなく親指による入力操作を行うことができるので、親指の姿勢をほとんど変えずに各入力キーに触れることができ、ユーザの労力を軽減することができる。
【０００６】
ところが、携帯端末９４に対する連接部９１の取り付けは、弾性を有する両端の支持部９２，９３によって帯状の長手方向に引っ張るように行われるため、この引張方向と略直交方向に作用する連接部９１の挟持力が十分得られないおそれがあり、入力操作を容易にする点において更に改良の余地があった。
【０００７】
そこで、本発明は、親指による入力操作を容易且つ確実に行うことができる携帯機器用装着具および携帯機器の提供を目的とする。
【課題を解決するための手段】
【０００８】
本発明の前記目的は、表面側に入力部を有する筐体を備えた携帯機器に用いられる携帯機器用装着具であって、弾性変形可能な一対の支持部材と、一対の前記支持部材に両端部がそれぞれ取り付けられた装着具本体とを備え、一対の前記支持部材は、前記装着具本体が前記筐体の裏面に対して略垂直方向に引きつけられるように、前記筐体に取り付けられる携帯機器用装着具により達成される。
【０００９】
この携帯機器用装着具によれば、携帯機器が有する筐体の裏面と装着具本体との間に指を挿入した際に、装着具本体が筐体の裏面に対して略垂直方向に引きつけられることにより、挿入した指を確実に挟持することができる。
【００１０】
上記の携帯機器用装着具において、一対の前記支持部材は、前記装着具本体が前記筐体の裏面側に配置された状態で、それぞれ前記筐体の表面側を把持するように構成することができる。
【００１１】
また、前記装着具本体は、前記筐体の裏面側との間に形成される隙間が拡がるように湾曲する湾曲部を、一対の前記支持部材の対向方向に沿って複数備えることが好ましい。
【００１２】
また、一対の前記支持部材は、それぞれ前記装着具本体に対して回動可能に取り付けられていることが好ましく、前記装着具本体は、表裏面にそれぞれ異なる装飾が施されていることが好ましい。
【００１３】
また、前記装着具本体は、携帯機器に取り付けられた状態で露出する面に、装飾体を着脱可能な着脱部を備えることが好ましい。
【００１４】
前記装着具本体は、一対の挟持部材を備え、一方の前記挟持部材が、前記各支持部材に取り付けられており、他方の前記挟持部材が、一方の前記挟持部材に着脱自在に取り付けられた構成にすることができる。
【００１５】
また、前記装着具本体は、筆記具による書き込み及び拭き取り消去が可能となるように構成することができる。
【００１６】
また、一対の前記支持部材は、内面の少なくとも一部に摩擦抵抗の高い緩衝体を備える構成にすることができる。    
【００１７】
また、前記装着具本体は、被収容物を収容可能な収容部を有する構成にすることができる。      
【００１８】
また、少なくとも一方の前記支持部材は、前記筐体に対して外嵌可能となるように環状に形成可能である。或いは、少なくとも一方の前記支持部材は、可撓性を有する板状部材の両端を鉤状に折り曲げて形成された一対の把持爪を備えることができ、一対の前記把持爪により前記筐体の両側部をそれぞれ把持可能に構成することができる。  
【００１９】
また、前記装着具本体は、帯状に形成され、両端部を折り返して内面に装着することにより、一対の前記支持部材をそれぞれ挿通可能な挿通部が形成されており、両端部の折り返し方向に沿って、前記端部の装着位置を調整可能に構成することができる。  
【００２０】
また、前記装着具本体は、シリコーンゴムから構成することができる。
【００２１】
また、本発明の前記目的は、表面側に入力部を有する筐体と、前記筐体の裏面側に配置された装着具本体とを備え、前記装着具本体は、両端部が前記筐体の裏面に対して略垂直方向に引きつけられるように、前記筐体に取り付けられている携帯機器により達成される。
【００２２】
この携帯機器によれば、筐体の裏面に対して略垂直方向に装着具本体を引きつけることができるので、筐体の裏面と装着具本体との間に挿入した指を確実に挟持することができる。
【００２３】
上記の携帯機器において、前記筐体部は、一対の前記支持部材とそれぞれ当接して両者の間隔を保持する一対の止め部を備えることができる。
【００２４】
また、前記入力部は、押圧により出没する複数の入力キーを備えており、少なくとも１つの前記入力キーの表面に、前記支持部材を支持する突起状の支承部を有することができる。
【発明の効果】
【００２５】
本発明の携帯機器用装着具および携帯機器によれば、親指による入力操作を容易且つ確実に行うことができる。
【図面の簡単な説明】
【００２６】
【図１】本発明の一実施形態に係る携帯機器用装着具を備えた携帯機器の表面側斜視図である。
【図２】前記携帯機器の裏面側斜視図である。
【図３】前記携帯機器の変形例を示す裏面側斜視図である。
【図４】前記携帯機器の装着具本体の変形例を示す側面図である。
【図５】前記携帯機器の入力部の変形例を示す断面図である。
【図６】前記携帯機器の装着具本体の変形例を示す斜視図である。
【図７】前記携帯機器の装着具本体の変形例を示す裏面図である。
【図８】前記携帯機器の装着具本体の変形例を示す側面図である。
【図９】前記携帯機器の支持部材の変形例を示す斜視図である。
【図１０】前記携帯機器の装着具本体の変形例を示す斜視図である。
【図１１】前記携帯機器の支持部材の変形例を示す斜視図である。
【図１２】前記携帯機器の変形例を示す裏面図である。
【図１３】前記携帯機器の変形例を示す裏面図である。
【図１４】前記携帯機器の装着具本体の変形例を示す斜視図である。
【図１５】前記携帯機器の変形例を示す斜視図である。
【図１６】従来の携帯機器用装着具を備えた携帯機器の斜視図である。
【発明を実施するための形態】
【００２７】
以下、本発明の実態形態について添付図面を参照して説明する。図１は、本発明の一実施形態に係る携帯機器用装着具を備えた携帯機器の表面側斜視図であり、図２は、図１に示す携帯機器の裏面側斜視図である。各添付図面において、同様の構成部分については同一の符号を付している。
【００２８】
図１に示すように、本実施形態の携帯機器１は、第１の筐体５０と、第２の筐体６０とが、ヒンジ部７０により回動可能に連結されている。第１の筐体５０は、文字や数字などの情報を入力するための入力キー５１ａが複数配置された入力部５１を、表面側に備えている。各入力キー５１ａは、指で押圧することにより出没可能に構成されている。また、第２の筐体６０は、閉じた状態（図２に示す状態）で入力部５１と対向する面に、情報を画面表示する表示部６２を備えている。
【００２９】
図１及び図２に示すように、第１の筐体５０には、携帯機器用装着具１０が取り付けられている。この装着具１０は、一対の支持部材１２，１４と、両端部がこれらの支持部材１２，１４にそれぞれ取り付けられた装着具本体１６とを備えている。
【００３０】
支持部材１２，１４は、ゴム材、バネ材、軟質樹脂材などを環状に形成してなる弾性変形可能な部材であり、第１の筐体５０に対して、拡げながら先端側（ヒンジ部７０と反対側）から外嵌可能な大きさとされている。
【００３１】
装着具本体１６は、布、ゴム、合成樹脂、金属薄板などからなる帯状の部材であり、図２に示すように、長手方向の両端部がそれぞれループを形成するように折り返されて、内面に固定されることにより、幅方向に延びる挿通部１６ａ，１６ｂが形成されている。各挿通部１６ａ，１６ｂには、支持部材１２，１４がそれぞれ挿通されており、支持部材１２，１４を第１の筐体５０に外嵌した状態で、装着具本体１６が第１の筐体５０の裏面側に配置される。
【００３２】
装着具本体１６は、第１の筐体５０の裏面側との間に形成される隙間が拡がるように湾曲する湾曲部１８ａ，１８ｂを２つ備えており、各湾曲部１８ａ，１８ｂは、一対の支持部材１２，１４の対向方向（すなわち、本実施形態では装着具本体１６の長手方向）に沿って隣接配置されている。各湾曲部１８ａ，１８ｂによって形成される隙間は、それぞれ人差し指および中指を挿入可能であるが、挿入された指の挟持力を高めることができるように、一般的な指の大きさよりも若干小さいことが好ましい。装着具本体１６の材料としては、特にシリコーンゴムを使用すると、薄く且つ柔らかいものとすることができ、良好な使用感が得られるため好ましい。
【００３３】
以上の構成を備える携帯機器用装着具１０によれば、第１の筐体５０の裏面側に装着具本体１６が配置されるように、一対の支持部材１２，１４を第１の筐体５０に外嵌すると、支持部材１２，１４が伸長するように弾性変形することで、装着具本体１６の両端部には、第１の筐体５０の裏面に対して略垂直方向に引きつけられるような力が作用する。したがって、第１の筐体５０の裏面と装着具本体１６との間に挿入した指を確実に挟持することができ、挿入した指が第１の筐体５０に対して移動、回転するのを防止することができる。この結果、親指と入力部５１との位置関係を常に最適な状態に保つことができ、親指による入力操作を容易且つ確実に行うことができる。
【００３４】
また、第１の筐体５０の裏面側と装着具本体１６との間に形成される隙間を小さくして、指の挿入によってこの隙間が押し広げられるように構成した場合には、支持部材１２，１４が更に弾性変形し、挿入した指の挟持力をより高めることができる。
【００３５】
また、装着具本体１６が、一対の支持部材１２，１４の対向方向に沿って複数の湾曲部１８ａ，１８ｂを備えることにより、各湾曲部１８ａ，１８ｂにそれぞれ指を挿入することができるので、挿入した指をより確実に挟持することができる。隣接する２つの湾曲部１８ａ，１８ｂの間には、図３に示すように、支持部材１２，１４と同様の構成からなる支持補助部材１３を設けて、この支持補助部材１３を第１の筐体５０に外嵌することにより、挿入した指の挟持力を高めるように構成してもよい。
【００３６】
本実施形態においては、２本の指をそれぞれ挿入できるように、装着具本体１６の湾曲部の数を２つとしているが、図４（ａ）に示すように、３本の指をそれぞれ挿入できるように、一対の支持部材１２，１４の対向方向に沿って３つの湾曲部１８ａ，１８ｂ，１８ｃを配置してもよく、或いは、湾曲部の数を４つにすることも可能である。
【００３７】
各湾曲部の大きさは、上記のように挿入される指の大きさを考慮して適宜設定すればよいが、必ずしも一対一に対応させる必要はなく、一つの湾曲部に対して２本以上の指が挿入されるように構成してもよい。また、図４（ｂ）に示すように、装着具本体１６を、湾曲部１８ａ，１８ｂと平坦部１８ｄとが互いに対向する構成にして、これらの間に指を挿入可能に構成することもできる。隣接する湾曲部１８ａ，１８ｂの間は、平坦部１８ｄに固定されていてもよく、或いは、平坦部１８ｄと離れていてもよい。
【００３８】
装着具本体１６の形状は、本実施形態のように複数の湾曲部１８ａ，１８ｂを備えた構成に限定されるものではなく、例えば、湾曲部が１つの構成や、平板状のものなど、種々の形状とすることが可能である。
【００３９】
例えば、図１５（ａ）に示す装着具本体１６は、帯状に形成された平板状部材の長手方向両端部を折り返して内面に貼着することにより、一対の支持部材１２，１４がそれぞれ挿通される挿通部１６ａ，１６ｂが形成されている。装着具本体１６の材料は特に限定されず、上記例示の各種材料を使用可能であるが、特に弾性変形可能に構成した場合には、図１５（ｂ）に示すように、挿入した指ｆの形状に追従するように装着具本体１６を弾性変形させることができ、一対の支持部材１２，１４の弾性力と共に、装着具本体１６の弾性力によって挿入した指を確実に挟持することができるので、好ましい。
【００４０】
また、図１及び図２に示すように、第１の筐体５０には、一対の支持部材１２，１４にそれぞれ対応する位置に、一対の止め部５２，５４が設けられている。各止め部５２，５４は、幅方向に沿ってドット状に配置された突部５２ａ，５４ａをそれぞれ備えている。突部５２ａ，５４ａの個数は特に限定されないが、本実施形態においては、第１の筐体５０の表面に２箇所、両側面にそれぞれ１箇所の合計４箇所に、突部５２ａ，５４ａがそれぞれ設けられている。各突部５２ａ，５４ａの突出高さは、支持部材１２，１４の厚みと略同じか、これよりも大きいことが好ましい。
【００４１】
このように、第１の筐体５０に一対の止め部５２，５４を設け、図１に示すように、一対の支持部材１２，１４の対向縁とそれぞれ当接させることにより、第１の筐体５０と装着具本体１６との間に指を挿入するなどして一対の支持部材１２，１４が弾性変形しても、一対の支持部材１２，１４の間隔が狭まるのを防止することができる。したがって、一対の支持部材１２，１４の弾性力を、装着具本体１６による指の挟持力として効率よく利用することができる。
【００４２】
各突部５２ａ，５４ａの配置箇所は、特に限定されるものではなく、第１の筐体５０の表面、側面、裏面の任意の位置であってよい。また、その形状は、ドット状以外に、幅方向に沿ってリブ状に形成することもできる。各突部５２ａ，５４ａは、ビーズ、金属光沢片などの装飾材を接着等の手段により後付けすることが可能であり、或いは、第１の筐体５０の一部を滑らかに膨出させて形成することも可能である。これらによって、デザイン的にも優れたものとすることができる。但し、本発明において、止め部５２，５４は必須の構成ではなく、止め部を有しない携帯機器に携帯機器用装着具１０を取り付けた場合でも、挿入された指を確実に挟持することが可能である。
【００４３】
一対の支持部材１２，１４は、第１の筐体５０に装着したときに入力部５１の入力キー５１ａを覆う状態になっても、入力キー５１ａの表面に印字された文字、数字、記号などを視認できるように、透明または半透明の材料からなることが好ましい。いずれかの入力キー５１ａの表面には、図５に示すように、突起状の支承部５２ｂを設けてもよく、これによって、支持部材１２が入力キー５１ａを覆うように第１の筐体５０に外嵌された場合に、支持部材１２の上から支承部５２ｂを介して入力キー５１ａを押圧することが可能になり、入力操作を確実に行うことができる。
【００４４】
装着具本体１６には、文字、数字、図形、記号、色彩などを二次元または三次元的に付与することにより、携帯機器１の装飾的効果を高めることができる。特に、一対の支持部材１２，１４を装着具本体１６に対して回動可能に構成し、装着具本体１６の表裏面にそれぞれ異なる装飾を施すことにより、図６（ａ）に示すように、装着具本体１６の表面側を露出させた状態から、一対の支持部材１２，１４を矢示Ａ方向にそれぞれ回動させて、図６（ｂ）に示すように、装着具本体１６の裏面側を露出させることができる。このように、第１の筐体５０に装着される装着具本体１６の表面側または裏面側を選択的に露出させることにより気分転換などを図ることができ、使用感を向上させることができる。
【００４５】
一対の支持部材１２，１４を回動可能にする構成としては、図６に示す構成のように、一対の支持部材１２，１４が各挿通部１６ａ，１６ｂにそれぞれ挿通された構成を例示することができるが、これに限定されるものではない。例えば、環状の支持部材が装着具本体の端部に接着などで固定された構成であっても、支持部材を裏返しながら回動させることが可能である。
【００４６】
また、装着具本体１６は、図７（ａ）に示すように、露出面に着脱部１６３を設け、この着脱部１６３に対して、図７（ｂ）に示すように、装飾体１６４を着脱可能に構成することができる。この構成によれば、装飾体１６４を複数用意しておくことにより、その時の気分などに応じて装飾体１６４を取り替えることができ、種々の絵柄などを楽しむことができる。着脱部１６３は、装着具本体１６に対して複数設けることも可能であり、各着脱部１６３に対して個別に装飾体１６４を取り替え可能に構成することもできる。
【００４７】
また、このような着脱部１６３を有する構成を、上述した表裏面にそれぞれ異なる装飾が施された装着具本体１６の構成と組み合わせることにより、装飾のバリエーションを大幅に増大させることができ、使用感をより向上させることができる。この場合、着脱部１６３は、装着具本体１６の表裏面にそれぞれ設けることが可能である。
【００４８】
装飾体１６４を着脱部１６３に着脱可能にする構成としては、マジックテープ（登録商標）のような雌雄面ファスナーを着脱部１６３及び装飾体１６４にそれぞれ設けた構成、着脱部１６３に永久磁石を設けて装飾体１６４を磁性体とした構成、剥離可能な粘着層を有する着脱部１６３に装飾体１６４を貼着する構成などを例示することができ、スナップ、バックル、チャック、フックなどを用いることもできる。着脱部１６３は、装飾体１６４を取り外した状態では、携帯機器１の保管用として用いることも可能であり、例えば、着脱部１６３に永久磁石を用いる場合には、携帯機器１を冷蔵庫などの表面に保持させることができる。
【００４９】
以上、本発明の実施形態について詳述したが、本発明の具体的な態様は上記実施形態に限定されるものではない。例えば、装着具本体１６は、図８（ａ）に示すように、一対の挟持部材１６５，１６６から構成することができる。一方の挟持部材１６５は、一対の支持部材１２，１４に取り付けられ、他方の挟持部材１６６は、一方の挟持部材１６５に対して、一端側１６６ａで回動可能に支持され、他端側１６６ｂで着脱自在に取り付けられる。この装着具本体１６によれば、図８（ｂ）に示すように、一方の挟持部材１６５から他方の挟持部材１６６を取り外し（二点鎖線の状態）、一対の挟持部材１６５，１６６の間にズボンのベルトＢなどを挟持することができるので、装着具本体１６を携帯機器１の使用時における装着具として使用する以外に、携帯時の装着具としても利用することができる。一対の挟持部材１６５，１６６は、両端部を着脱自在に構成することも可能であり、作業が容易な方の端部を取り外して使用できるようにしてもよい。一対の挟持部材１６５，１６６を着脱可能にする構成としては、面ファスナー、スナップ、磁石、バックル、チャック、フックなどを例示することができる。
【００５０】
また、装着具本体１６は、例えば、板状の芯材表面に、ポリプロピレン、ポリエステル、ポリエチレンなどの合成樹脂からなるシート材を貼り付ける等して、公知のホワイトボードと同様の構成にすることで、筆記具による書き込みや、書き込みの拭き取り消去を可能にすることができる。これにより、携帯機器１の使用中などにおいて、装着具本体１６をメモ帳代わりに使用することができる。
【００５１】
また、図９に示すように、一対の支持部材１２，１４の内面側に、摩擦抵抗の高い粘着材、合成樹脂材、ゴム材、マット材などからなる緩衝体１２１，１４１を設けることにより、第１の筐体５０に外嵌された一対の支持部材１２，１４のずれを防止することができる。本実施形態においては、緩衝体１２１，１４１を、それぞれ支持部材１２，１４の内周面に沿って部分的に配置しているが、支持部材１２，１４の内周面全体に緩衝体を設けてもよい。
【００５２】
また、図１０に示すように、装着具本体１６を、ティッシュ、キー、小銭、装飾体などの被収容物を収容可能な袋状に形成し、開口１６７を介して被収容物を収容できるように構成することもできる。図１０に示す装着具本体１６は、軟質合成樹脂材やゴム材など弾性を有する帯状部材をループ状に形成し、一対の支持部材１２，１４を挿通した状態で長手方向両端部の内面同士を接着することにより、支持部材１２，１４がそれぞれ挿通された挿通部１６ａ，１６ｂと、これら挿通部１６ａ，１６ｂの間に形成される収容部１６ｃとが、分割形成されている。収容部１６ｃは、両側部の一方が閉塞され、他方に開口部１６７を有しており、開口部１６７を介して収容部１６ｃに収容された被収容物を、弾性力により保持することができる。装着具本体１６は、例えば布製など弾性材料以外の材料で形成することも可能であり、開口部１６７は、ファスナーなどを用いて開閉可能としてもよい。また、装着具本体１６を構成する基材の表面に樹脂フィルムなどを貼着して、収容部をポケット状に形成することもできる。
【００５３】
上記の各実施形態において、一対の支持部材１２，１４は、弾性変形可能な環状部材からなり、第１の筐体５０に外嵌されることにより、第１の筐体５０の表面側を把持することが可能である。このような構成によれば、第１の筐体５０への取り付けを容易にしつつ、装着具本体１６を引きつける力を確実に作用させることができる。第１の筐体５０の表面側を把持可能な構成としては、このような環状部材以外であってもよく、例えば、図１１に示すように、一対の支持部材１２，１４が、可撓性を有する一対の平板状部材１２２，１４２の両端を鉤状に折り曲げて形成された一対の把持爪１２３，１２３；１４３，１４３を備える構成にすることができ、一対の把持爪１２３，１２３；１４３，１４３により第１の筐体５０の両側部をそれぞれ把持可能に構成することができる。
【００５４】
但し、本発明における一対の支持部材は、第１の筐体の表面側を把持可能な構成に限定されず、例えば、図１２に示すように、一対の支持部材１２，１４を平板状の可撓性部材１２４，１４４から構成し、これら可撓性部材１２４，１４４の両端を、第１の筐体５０の裏面側に接着剤やネジなどを用いて固定することも可能である。更に、一対の支持部材を使用せずに、図１３に示すように、装着具本体１６の両端部を、第１の筐体５０の裏面側に接着剤などを用いて固定するようにしてもよい。この場合は、装着具本体１６が弾性変形可能に構成されていることが好ましく、これによって、装着具本体１６の両端部を第１の筐体５０に引きつける力を自ら発揮することができる。図１２及び図１３に示すように、携帯機器用装着具１０を第１の筐体５０に予め固定しておくことにより、第１の筐体５０の裏面側における装着具本体１６の配置を、常に最適な状態に維持することができる。
【００５５】
装着具本体１６において、支持部材１２，１４を挿通するための挿通部１６ａ，１６ｂは、図２に示すように、長手方向の両端部を折り返して内面に取り付けることにより形成可能であるが、内面に対する両端部の取り付けを着脱可能とし、両端部の折り返し方向（すなわち、装着具本体１６の長手方向）に沿って取り付け位置を調整可能に構成することで、装着具本体１６の取り替えや長さ調整を容易に行うことができる。例えば、図１４（ａ）に示す状態から、挿通部１６ａ，１６ｂが大きくなるように装着具本体１６の端部取り付け位置を調整することで、図１４（ｂ）に示すように、装着具本体１６を短くすることができる。したがって、使用者の嗜好や手の大きさ等に応じて、携帯機器用装着具１０をカスタマイズすることができる。取り付け位置を調整可能な構成としては、例えば、装着具本体１６の端部及び内面に、雌雄の面ファスナーやスナップをそれぞれ設け、内面に設けられる面ファスナーやスナップを、折り返し方向に沿って連続的或いは間隔をあけて配置した構成を挙げることができる。
【００５６】
本発明の携帯機器は、上記各実施形態に示した携帯電話機以外に、携帯情報端末（ＰＤＡ）、携帯ゲーム機、電卓など、情報を入力するための入力部を備える筐体を備えた携帯型の各種機器とすることができる。また、各携帯機器の入力部は、押圧可能な入力キー以外に、スライド式やタッチパネル式などの操作キーであってもよい。  
【符号の説明】
【００５７】
１  携帯機器
１０  携帯機器用装着具
１２，１４  支持部材
１２１，１４１  緩衝体
１２３，１４３  把持爪
１６  装着具本体
１６３  着脱部
１６４  装飾体
１６５，１６６  挟持部材
１６７  開口  
１６ａ，１６ｂ  挿通部
１６ｃ  収容部
１８ａ，１８ｂ，１８ｃ  湾曲部
１８ｄ  平坦部
５０  第１の筐体
５１  入力部
５１ａ  入力キー
５２，５４  止め部
５２ａ，５４ａ  突部
５２ｂ  支承部
６０  第２の筐体
７０  ヒンジ部
【図１】
2009147992.tif 000003
【図２】
2009147992.tif 000004
【図３】
2009147992.tif 000005
【図４】
2009147992.tif 000006
【図５】
2009147992.tif 000007
【図６】
2009147992.tif 000008
【図７】
2009147992.tif 000009
【図８】
2009147992.tif 000010
【図９】
2009147992.tif 000011
【図１０】
2009147992.tif 000012
【図１１】
2009147992.tif 000013
【図１２】
2009147992.tif 000014
【図１３】
2009147992.tif 000015
【図１４】
2009147992.tif 000016
【図１５】
2009147992.tif 000017
【図１６】
2009147992.tif 000018